(57)【要約】【課題】本発明は、レンジフード内に加熱調理器を収容した排気装置において、レンジフードの左右いずれの側であっても空気の吸込み力に偏りがなく、効率よく排気可能な排気装置を提供する。【解決手段】レンジ台１１の上方に設置されるレンジフード２と、該レンジフード２内に収容される加熱調理器３及び排気ファン４とを備えた排気装置１であって、排気ファン４が遠心ファンであり、加熱調理器３の上方の空間にファンの回転軸が垂直方向に向くように複数配置されたことを特徴とする。【選択図】図１
2005180777.tif 000002
【特許請求の範囲】
【請求項１】
レンジ台の上方に設置されるレンジフードと、該レンジフード内に収容される加熱装置及び排気ファンとを備えた排気装置であって、前記排気ファンが複数設置されたことを特徴とする排気装置。
【請求項２】
前記排気ファンが遠心ファンであり、前記加熱調理器の上方の空間にファンの回転軸が垂直方向に向くように配されたことを特徴とする請求項１記載の排気装置。
【請求項３】
前記排気ファンが、前記レンジフード内の左右に１機づつ配されたことを特徴とする請求項２記載の排気装置。
【請求項４】
前記レンジフードの排気口が、前記両排気ファンの中間位置に形成され、前記両排気ファンは、互いにファン回転方向が逆方向で、各排気ファンの排気流路が対称的に前記排気口まで形成されたことを特徴とする請求項３記載の排気装置。
【請求項５】
前記排気ファンごとにファンの運転をＯＮ／ＯＦＦする運転スイッチが独立して設けられたことを特徴とする請求項１〜４のいずれかに記載の排気装置。
【発明の詳細な説明】
【技術分野】
【０００１】
本発明は、レンジフード内に加熱調理器を収容した排気装置に関するものである。
【背景技術】
【０００２】
従来、特許文献１に記載されているように、レンジ上のスペースを有効に利用することを目的として、レンジフード内に加熱調理器を収容した家庭器具が知られている。この家庭器具は、図７に示すように、レンジフード２内に加熱調理器３が収容されている。
【０００３】
加熱調理器３の両側面とレンジフードとの間には空間Ａが設けられており、加熱調理器３の天板とレンジフード２との間の空間には排気ファン４が設置されている。この排気ファン４は遠心ファンであり、二枚の円盤の間に多数の羽根が植設された羽根車６がその回転軸が垂直方向を向くようにケーシング５内に配されている。
【０００４】
具体的に、家庭器具内に設置された排気ファン４を運転すると、レンジフード２の下部に形成された吸気口２ａから空気が取り入れられ、前述の空間Ａを通風路として排気ファン４に空気が送り込まれた後、排気流路５ｂを通って、図示しないレンジフード２の排気口から排出される構成とされている。
【特許文献１】特表２００１−５１０８８６号公報
【発明の開示】
【発明が解決しようとする課題】
【０００５】
しかしながら、上記家庭器具においては、排気ファン４を加熱調理器３の天板３ｃに取り付ける位置に制約がある。すなわち、空間Ａを通風路として排気ファン４に空気を効率よく吸込むためには、排気ファン４をできるだけ空間Ａに近づける必要が生じる。
【０００６】
したがって、排気ファン４の取付け位置がレンジフード２の右側か左側かに偏ることになり、これによりレンジフード２の左右いずれかの側に空気を吸込む力が偏ってしまうという問題が生じていた。
【０００７】
この発明は、上記のような課題を解消するためになされたもので、レンジフードの左右いずれの側であっても空気の吸込み力に偏りがなく、効率よく排気可能な排気装置を提供することを目的とする。
【課題を解決するための手段】
【０００８】
上記目的を達成するため、本発明に係る排気装置は、レンジ台の上方に設置されるレンジフードと、レンジフード内に収容される加熱調理器及び排気ファンとを備えたものであって、排気ファンが複数設置されたことを特徴とする。
【０００９】
上記構成によれば、レンジフード内に複数の排気ファンを設置したために、排気ファンを１機のみ使用する場合に比べて、空気の吸込み力の偏りが少なくなり、排気能力に優れた排気装置を得ることができる。
【００１０】
また、上記構成において、排気ファンとして遠心ファンを用い、加熱調理器の上方の空間にファンの回転軸が垂直方向に向くようにして配すれば、狭い空間内に羽根車の径の大きい排気ファンを効率よく配置することが可能となり、より排気能力の高い排気装置を得ることができる。
【００１１】
排気ファンの数に特に限定はないが、排気ファンをレンジフード内の左右に１機づつ配すれば、レンジフードの左右から効率よく空気を吸込むことが可能となる。この場合、特に、各排気ファンを互いのファン回転方向が逆方向になるように配し、各排気ファンの排気流路を対称的に前記排気口まで形成すれば、排気流路から空気を排出するのにかかる抵抗を小さく、かつ同程度にすることができ、レンジフードの左右の空気吸込み力に偏りのない排気装置を得ることができる。
【００１２】
上記排気装置は、レンジフード中央に加熱調理器が配置され、この部分は空気を吸い込むことができないため、例えば、レンジ台の右側に設置された加熱具を使用するときは、レンジフード右側に設置された排気ファンのみを運転させる方が効率のよい排気が可能となる。そこで、本発明においては、排気ファンごとにファンの運転をＯＮ／ＯＦＦする運転スイッチを独立して設ける構成を採用可能とし、これにより、レンジ台の使用状況に合わせて効率のよい排気装置の運転を可能とした。
【００１３】
上記排気ファンは、運転スイッチでファンの運転をＯＮ／ＯＦＦする以外に、ファンの回転速度を調節する風量切替スイッチを設ければ、レンジ台の加熱器の使用状況に合わせてより効率のよい運転が可能となる。
【発明の効果】
【００１４】
以上のように、本発明によれば、レンジフード内に複数の排気ファンを設けたため、空気の吸込み力に偏りのない排気装置を得ることが可能になる。特に、排気ファンとして遠心ファンを使用し、レンジフード内に設置される加熱調理器の上方の空間に、ファンの回転軸が垂直方向を向くようにしてレンジフード内の左右に１機づつ配すれば、狭い空間内に羽根車の径の大きい排気ファンを効率よく配置することが可能となり、排気能力が高く、レンジフード左右の空気吸込み力の偏りをより低減することが可能な排気装置を得ることができる。
【発明を実施するための最良の形態】
【００１５】
以下、本発明に係る排気装置の実施の形態について、図面を用いて説明する。図１〜４は、本発明に係る排気装置を示す図であり、図１は排気装置の一部を切り欠いた斜視図を、図２は排気装置の平面図を、図３は排気装置の正面図を、図４は排気装置の側面図をそれぞれ示している。
【００１６】
本実施形態に係る排気装置１は、レンジフード２と、レンジフード２内に収容される電子レンジ等の加熱調理器３及び排気ファン４とを備えており、レンジフード２の前面に加熱調理器３の前面が臨むように配されている。加熱調理器３の前面には、加熱庫の扉３ａの他に、加熱調理器３の運転を制御するためのコントロールパネル３ｂが配されている。
【００１７】
加熱調理器３の上方には、加熱調理器天板３ｃとレンジフード天板２ｂとの間に空間が設けられており、この空間に排気ファン４が設置されている。排気ファン４は遠心ファンであり、レンジフード２内の同一平面上に左右１機づつ配されている。
【００１８】
排気ファン４は、ケーシング５内に、二枚の円盤の間に多数の羽根が植設された羽根車６が収容されており、その回転軸が垂直方向を向くように配されている。したがって、羽根車６として大径のものを使用しても、排気ファン４の高さにはあまり影響がなく、狭いスペースに排気能力の高い排気ファン４を効率よく設置することができる。
【００１９】
排気ファン４のケーシング５の下部には、空気の吸込口５ａが形成されており、羽根車６の外周付近のケーシング５には、排気流路５ｂが設けられている。各排気ファン４は、ファン回転方向が互いに逆方向になるように設置されており、各排気ファン４の排気流路５ｂは対称的に形成され、両排気ファン４の中間で合流するように形成されている。
【００２０】
このように、排気流路５ｂをレンジフード２の排気口に至る途中で合流させて、一つの流路として排気口から空気を排出することで、狭い空間内に合わせて排気流路５ｂをコンパクト化しつつスムーズで効率のよい排気が可能となる。
【００２１】
加熱調理器３の両側面と、レンジフード２との間には空間Ａが設けられており、この空間Ａが通風路として利用される。具体的に、排気ファン４を運転すると、レンジフード２の下部に形成された吸気口２ａから空気が取り入れられ、前述の空間Ａを通風路として矢印Ｂで示すようにレンジフード２内の上部に導かれる。そして、排気ファン４の吸込口５ａから導入された空気は、回転軸方向に羽根車６の中央部分に送りこまれ、羽根車６の周方向、すなわち、吸い込み方向と直交する方向に形成された排気流路５ｂから排気される。
【００２２】
レンジフード２の天板２ｂにおいて、左右の排気ファン４の中間位置には図示しない排気口が形成されており、排気ファン４に吸込まれた空気は、矢印Ｃで示す排気流路５ｂを通って排気口から排出され、図示しないダクトを通じて外部に放出される。
【００２３】
図５は、本発明に係る排気装置の回路図である。図に示すように、レンジフード２内に設置される左右の排気ファン４のファンモータ７，７は、交流電源８に対して並列に接続されており、それぞれのモータ７には、モータ７の運転をＯＮ／ＯＦＦする運転スイッチ９及び風量切替スイッチ１０が配されている。なお、運転スイッチ９及び風量切替スイッチ１０は、前述のコントロールパネル３ｂに設けられている。
【００２４】
図６は、本発明に係る排気装置の使用態様を示す概略図である。排気装置１は、キッチンのレンジ台１１の上方に設置されている。レンジ台１１には左右に複数の加熱器１２が設けられている。
【００２５】
レンジフード２内には中央部に加熱調理器３が設置され、この部分は空気を吸い込むことができないため、例えば、レンジ台７の右側に設置された加熱器８を使用してガスが発生したときに、左右の排気ファン４を同じように運転しても、左の吸気口２ａからは少量のガスしか吸込むことができない。
【００２６】
そこで、このような場合には、運転スイッチ９によりレンジフード２右側に設置された排気ファン３のみを運転させ、かつ風量切替スイッチ１０によりファンの回転速度を高くすればよい。
【００２７】
また、レンジ台の左右両方の加熱器１２を使用するときには、運転スイッチ９により左右の排気ファン３を運転させ、かつガス発生量に合わせて風量切替スイッチを切り替えればよい。このようにレンジ台１１の加熱器１２の使用状況に応じて運転スイッチ９及び風量切替スイッチ１０を制御することで効率のよい排気が可能となる。
【図面の簡単な説明】
【００２８】
【図１】本発明に係る排気装置の一部を切り欠いた斜視図
【図２】上記排気装置の平面図
【図３】上記排気装置の正面図
【図４】上記排気装置の側面図
【図５】上記排気装置の回路図
【図６】上記排気装置の使用態様を示す概略図
【図７】従来の排気装置を示す斜視図
【符号の説明】
【００２９】
１        排気装置
２        レンジフード
２ａ      吸気口
２ｂ      天板
３        加熱調理器
３ａ      加熱庫扉
３ｂ      コントロールパネル
３ｃ      天板
４        排気ファン
５        ケーシング
５ａ      吸込口
５ｂ      排気流路
６        羽根車
７        ファンモータ
８        交流電源
９        運転スイッチ
１０        風量切替スイッチ
１１        レンジ台
１２        加熱器
【図１】
2005180777.tif 000003
【図２】
2005180777.tif 000004
【図３】
2005180777.tif 000005
【図４】
2005180777.tif 000006
【図５】
2005180777.tif 000007
【図６】
2005180777.tif 000008
【図７】
2005180777.tif 000009